(57)【要約】【課題】ユーザにとっての有用性の高低に鑑みて、ネットワークを通じて得られる複数のコンテンツから適当なコンテンツを抽出しうるシステム等を提供する。【解決手段】ユーザによって端末２００に入力された検索条件に基づいて対象エンティティが指定される。また、ネットワークにおいて対象エンティティに固有の属性を表す第１固有情報に基づいて第１コンテンツが抽出される。さらに、対象エンティティに固有の属性を表す第２固有情報との関連性の強弱を表す第１固有値が第１基準値以上のコンテンツが第２コンテンツとして抽出される。このように第１コンテンツのみならず、第２コンテンツもが抽出されることにより、ユーザにとっての有用性の高低に鑑みて、ネットワークを通じて得られる複数のコンテンツから適当なコンテンツが抽出されうる。【選択図】  図１
2008250481.tif 000002
【特許請求の範囲】
【請求項１】
ユーザにより端末に入力された検索条件にしたがってコンテンツ検索システムによりネットワークを通じて検索されるコンテンツを管理するシステムであって、
前記ユーザにより前記端末に入力された前記検索条件に基づき、データベースに格納されている複数のエンティティのうち一部のエンティティを対象エンティティとして指定する第１処理部と、
該第１処理部により指定された該対象エンティティに対応付けられている該第１固有情報を該データベースから検索し、前記コンテンツ検索システムにより該検索条件にしたがって検索された複数のコンテンツの中から、当該第１固有情報に基づいて第１コンテンツを抽出する第２処理部と、
該第１処理部により指定された該対象エンティティに対応付けられている該第２固有情報を該データベースから検索し、前記コンテンツ検索システムにより該検索条件にしたがって検索された複数のコンテンツのそれぞれと、当該第２固有情報との関連性の強弱を表す第１固有値を評価し、当該第１固有値が第１基準値以上のコンテンツを第２コンテンツとして抽出する第３処理部と、
該第２処理部および該第３処理部のそれぞれにより抽出された該第１および第２コンテンツのそれぞれの属性情報のリストを、該リストに掲載されている該属性情報が前記ユーザにより選択されることにより該属性情報を有するコンテンツが前記端末に出力されるように当該端末に出力させる第４処理部とを備えていることを特徴とするコンテンツ管理システム。
【請求項２】
請求項１記載のコンテンツ管理システムにおいて、
前記第３処理部が前記コンテンツ検索システムにより前記検索条件にしたがって検索された複数のコンテンツのそれぞれと、前記第２処理部により抽出された前記第１コンテンツとの近似性の高低を表す第２固有値を評価し、当該第２固有値が第２基準値以上のコンテンツを前記第２コンテンツとして抽出することを特徴とするコンテンツ管理システム。
【請求項３】
請求項１または２記載のコンテンツ管理システムにおいて、
前記ユーザによる前記端末への第１、第２および第３抽出条件のうち１つの入力が可能とされ、
該ユーザにより該第１または第３抽出条件が該端末に入力されたことを要件として前記第２処理部が前記第１コンテンツを抽出し、
該ユーザにより該第２または第３抽出条件が該端末に入力されたことを要件として前記第２処理部が前記第２コンテンツを抽出することを特徴とするコンテンツ管理システム。
【請求項４】
請求項１〜３のうちいずれか１つに記載のコンテンツ管理システムにおいて、
前記第２処理部が、前記ネットワークとしてのインターネットにおける各コンテンツの置き場所を示すＵＲＬまたは各エンティティに割り当てられているドメインを前記第１固有情報として前記データベースから検索することを特徴とするコンテンツ管理システム。
【請求項５】
請求項１〜４のうちいずれか１つに記載のコンテンツ管理システムにおいて、
前記第３処理部が、前記エンティティの名称、住所、電話番号および業務内容のうち一部または全部を前記第２固有情報として前記データベースから検索することを特徴とするコンテンツ管理システム。
【請求項６】
請求項１〜５のうちいずれか１つに記載のコンテンツ管理システムにおいて、
前記複数のエンティティのそれぞれと、前記第１固有情報と、前記第２固有情報とが対応付けられて格納されている前記データベースを備えていることを特徴とするコンテンツ管理システム。
【請求項７】
ユーザにより端末に入力された検索条件にしたがってコンテンツ検索システムによりネットワークを通じて検索されるコンテンツを管理するシステムとしてコンピュータを機能させるプログラムであって、
前記ユーザにより前記端末に入力された前記検索条件に基づき、データベースに格納されている複数のエンティティのうち一部のエンティティを対象エンティティとして指定する第１処理部と、
該第１処理部により指定された該対象エンティティに対応付けられている該第１固有情報を該データベースから検索し、前記コンテンツ検索システムにより該検索条件にしたがって検索された複数のコンテンツの中から、当該第１固有情報に基づいて第１コンテンツを抽出する第２処理部と、
該第１処理部により指定された該対象エンティティに対応付けられている該第２固有情報を該データベースから検索し、前記コンテンツ検索システムにより該検索条件にしたがって検索された複数のコンテンツのそれぞれと、当該第２固有情報との関連性の強弱を表す第１固有値を評価し、当該第１固有値が第１基準値以上のコンテンツを第２コンテンツとして抽出する第３処理部と、
該第２処理部および該第３処理部のそれぞれにより抽出された該第１および第２コンテンツのそれぞれの属性情報のリストを、該リストに掲載されている該属性情報が前記ユーザにより選択されることにより該属性情報を有するコンテンツが前記端末に出力されるように当該端末に出力させる第４処理部とを備えているシステムとして前記コンピュータを機能させることを特徴とするコンテンツ管理プログラム。
【発明の詳細な説明】
【技術分野】
【０００１】
本発明は、インターネット等のネットワークを通じて得られるコンテンツを管理するシステム等に関する。
【背景技術】
【０００２】
インターネットにおいてウェブページ等のコンテンツを検索する手法が提案されている（たとえば、特許文献１参照）。ユーザはパソコンを操作してサーチエンジンにキーワードを入力し、コンテンツ検索の実行を指令する。これにより、サーチエンジンによってキーワード検索されたコンテンツを説明するテキストやコンテンツの在所を示すＵＲＬ等のコンテンツ属性情報のリストがパソコンの画面に表示される。また、ユーザがパソコンを操作してリストに掲載されているテキストやＵＲＬを選択することにより、当該選択テキスト等に対応するコンテンツがブラウザによって取得されてパソコンの画面に表示される。
【特許文献１】特開２００５−１１５７９０号公報
【発明の開示】
【発明が解決しようとする課題】
【０００３】
しかし、ユーザは各コンテンツの有用性の有無または高低を判断するため、リストに掲載されている多数のテキストを逐次選択することにより、各コンテンツを確認する必要がある。したがって、検索コンテンツからノイズ（ユーザにとって有用性が低いコンテンツ）を除きながら、ユーザにとって有用性が高いコンテンツを抽出することは煩雑な作業である。また、ユーザは経験則等にしたがってリストに掲載されているテキスト等に基づいて各コンテンツの有用性の有無または高低を判断することもできるが、有用性の高いコンテンツが看過される可能性もある。
【０００４】
一方、ユーザは検索用のキーワードを限定することにより、検索コンテンツの絞り込みおよびノイズの削減を図ることができる。しかるに、検索条件によっては検索コンテンツが過剰に絞り込まれ、ユーザにとって有用性が高い多くのコンテンツが検索されない場合がある。また、サーチエンジンによってノイズとして認識されたコンテンツの中にも、ユーザにとって有用性があるコンテンツが混在している場合があり、ノイズの削減が一概によいわけではない。
【０００５】
そこで、本発明は、ユーザにとっての有用性の高低に鑑みて、ネットワークを通じて得られる複数のコンテンツから適当なコンテンツを抽出しうるシステム等を提供することを解決課題とする。
【課題を解決するための手段】
【０００６】
前記課題を解決するための第１発明のコンテンツ管理システムは、ユーザにより端末に入力された検索条件にしたがってコンテンツ検索システムによりネットワークを通じて検索されるコンテンツを管理するシステムであって、前記ユーザにより前記端末に入力された前記検索条件に基づき、データベースに格納されている複数のエンティティのうち一部のエンティティを対象エンティティとして指定する第１処理部と、該第１処理部により指定された該対象エンティティに対応付けられている該第１固有情報を該データベースから検索し、前記コンテンツ検索システムにより該検索条件にしたがって検索された複数のコンテンツの中から、当該第１固有情報に基づいて第１コンテンツを抽出する第２処理部と、該第１処理部により指定された該対象エンティティに対応付けられている該第２固有情報を該データベースから検索し、前記コンテンツ検索システムにより該検索条件にしたがって検索された複数のコンテンツのそれぞれと、当該第２固有情報との関連性の強弱を表す第１固有値を評価し、当該第１固有値が第１基準値以上のコンテンツを第２コンテンツとして抽出する第３処理部と、該第２処理部および該第３処理部のそれぞれにより抽出された該第１および第２コンテンツのそれぞれの属性情報のリストを、該リストに掲載されている該属性情報が前記ユーザにより選択されることにより該属性情報を有するコンテンツが前記端末に出力されるように当該端末に出力させる第４処理部とを備えていることを特徴とする。
【０００７】
第１発明のコンテンツ管理システムによれば、ユーザによって端末に入力された検索条件に基づき、複数のエンティティのうち一部のエンティティが対象エンティティとして指定される。このため、検索条件を端末に入力した当該ユーザが興味を抱いている可能性または蓋然性が高いエンティティが対象エンティティとして指定されうる。また、コンテンツ検索システムは当該検索条件にしたがってネットワークを通じてコンテンツを検索するので、検索コンテンツには対象エンティティに関するコンテンツが含まれる。
【０００８】
また、ネットワークにおける対象エンティティに固有の属性を表す第１固有情報に基づいて第１コンテンツが抽出される。これにより、ネットワークにおける固有属性の存在に鑑みて対象エンティティとの関係に信頼性が置けるコンテンツ、すなわち、対象エンティティとの関連性が最も強い可能性または蓋然性が高いコンテンツが第１コンテンツとして抽出されうる。
【０００９】
さらに、対象エンティティに固有の属性を表す第２固有情報との関連性の強弱を表す第１固有値が第１基準値以上のコンテンツが第２コンテンツとして抽出される。これにより、対象エンティティに固有の属性との関連性に鑑みて、第１コンテンツほどではないものの対象エンティティとの関連性が高い可能性または蓋然性が高いコンテンツが第２コンテンツとして抽出されうる。
【００１０】
このように第１コンテンツのみならず、第２コンテンツもが抽出されることにより、ユーザにとっての有用性の高低に鑑みて、ネットワークを通じて得られる複数のコンテンツから適当なコンテンツが抽出されうる。そして、第１および第２コンテンツの抽出結果が、各抽出コンテンツの属性情報のリストとして端末に出力される。このため、ユーザは端末においてリストに掲載されたコンテンツ属性情報を選択することにより、当該選択属性情報を有するコンテンツを端末において取得または閲覧することができる。
【００１１】
また、第２発明のコンテンツ管理システムは、第１発明のコンテンツ管理システムにおいて、前記第３処理部が前記コンテンツ検索システムにより前記検索条件にしたがって検索された複数のコンテンツのそれぞれと、前記第２処理部により抽出された前記第１コンテンツとの近似性の高低を表す第２固有値を評価し、当該第２固有値が第２基準値以上のコンテンツを前記第２コンテンツとして抽出することを特徴とする。
【００１２】
第２発明のコンテンツ管理システムによれば、第１コンテンツとその他のコンテンツのそれぞれとの情報としての近似性または類似性に鑑みて、第１コンテンツほどではないものの対象エンティティとの関連性が高い可能性または蓋然性が高いコンテンツが第２エンティティとして抽出されうる。
【００１３】
さらに、第３発明のコンテンツ管理システムは、第１または第２発明のコンテンツ管理システムにおいて、前記ユーザによる前記端末への第１、第２および第３抽出条件のうち１つの入力が可能とされ、該ユーザにより該第１または第３抽出条件が該端末に入力されたことを要件として前記第２処理部が前記第１コンテンツを抽出し、該ユーザにより該第２または第３抽出条件が該端末に入力されたことを要件として前記第２処理部が前記第２コンテンツを抽出することを特徴とする。
【００１４】
第３発明のコンテンツ管理システムによれば、端末に入力された抽出条件の違いに応じて、抽出対象となるコンテンツの範囲をユーザに調節させることができる。すなわち、端末に第１抽出条件が入力された場合には第１コンテンツのみが抽出された上で当該端末に第１コンテンツのリストが掲載される。また、端末に第２抽出条件が入力された場合には第２コンテンツのみが抽出された上で当該端末に第２コンテンツのリストが掲載される。さらに、端末に第３抽出条件が入力された場合には第１および第２コンテンツの両方が抽出された上で当該端末に第１および第２コンテンツのリストが掲載される。
【００１５】
また、第４発明のコンテンツ管理システムは、第１〜第３発明のうちいずれか１つのコンテンツ管理システムにおいて、前記第２処理部が、前記ネットワークとしてのインターネットにおける各コンテンツの置き場所を示すＵＲＬまたは各エンティティに割り当てられているドメインを前記第１固有情報として前記データベースから検索することを特徴とする。
【００１６】
第４発明のコンテンツ管理システムによれば、コンテンツのインターネットにおける置き場所を表すＵＲＬまたは各エンティティに割り当てられているドメインに基づき、対象エンティティとの関連性の強弱を表す第１固有値が最も高い可能性があるコンテンツが第１コンテンツとして抽出されうる。
【００１７】
さらに、第５発明のコンテンツ管理システムは、第１〜第４発明のうちいずれか１つのコンテンツ管理システムにおいて、前記第３処理部が、前記エンティティの名称、住所、電話番号および業務内容のうち一部または全部を前記第２固有情報として前記データベースから検索することを特徴とする。
【００１８】
第５発明のコンテンツ管理システムによれば、各エンティティの名称等に基づき、対象エンティティとの関連性の強弱を表す第１固有値が高い可能性があるコンテンツが第２コンテンツとして抽出されうる。
【００１９】
また、第６発明のコンテンツ管理システムは、第１〜第５発明のうちいずれか１つのコンテンツ管理システムにおいて、前記複数のエンティティのそれぞれと、前記第１固有情報と、前記第２固有情報とが対応付けられて格納されている前記データベースを備えていることを特徴とする。
【００２０】
第６発明のコンテンツ管理システムによれば、たとえば複数のエンティティのそれぞれと、第１固有情報と、第２固有情報との対応関係に変更があった場合、データベースが逐次更新されることにより、当該最新の対応関係にしたがって第１コンテンツおよび第２コンテンツが抽出されうる。
【００２１】
前記課題をユーザにより端末に入力された検索条件にしたがってコンテンツ検索システムによりネットワークを通じて検索されるコンテンツを管理するシステムとしてコンピュータを機能させるプログラムであって、前記コンピュータを第１発明のコンテンツ管理システムとして機能させることを特徴とする。
【００２２】
第７発明のコンテンツ管理プログラムによれば、ユーザにとっての有用性の高低に鑑みて、ネットワークを通じて得られる複数のコンテンツから適当なコンテンツを抽出するようにコンピュータを機能させることができる。
【発明を実施するための最良の形態】
【００２３】
本発明のコンテンツ管理システムの実施形態について説明する。
【００２４】
図１に示されているコンテンツ管理システム１００は、インターネットに接続されている一または複数のサーバコンピュータにより構成されている。インターネットにはコンテンツ検索システム１５０およびユーザのパソコン等の情報処理端末２００のそれぞれが接続されている。コンテンツ管理システム１００はユーザにより端末２００に入力された検索条件にしたがってコンテンツ検索システムによりネットワークを通じて検索されるコンテンツを管理するシステムである。
【００２５】
サーバのＲＯＭ等のメモリまたは記憶装置には、サーバをコンテンツ管理システム１００として機能させるためのプログラムが格納されている。このプログラムはＣＤ等の記憶媒体によってサーバにインストールされた上でメモリに格納されてもよく、インターネットを介して他のサーバからダウンロードされた上でメモリに格納されてもよい。
【００２６】
コンテンツ管理システム１００は、データベース１０２と、第１処理部１１０と、第２処理部１２０と、第３処理部１３０と、第４処理部１４０とを備えている。なお、データベース１０２はコンテンツ管理システム１００とは別個のデータベースサーバにより構成されていてもよい。
【００２７】
第１処理部１１０は、ユーザにより端末２００に入力された検索条件に基づき、データベース１０２に格納されている複数のエンティティのうち一部のエンティティを対象エンティティとして指定する。
【００２８】
第２処理部１２０は、第１処理部１１０により指定された対象エンティティに対応付けられている第１固有情報をデータベース１０２から検索する。また、第２処理部１２０は、コンテンツ検索システム１５０により当該検索条件にしたがって検索された複数のコンテンツの中から、当該第１固有情報に基づいて第１コンテンツを抽出する。
【００２９】
第３処理部１３０は、第１処理部１１０により指定された対象エンティティに対応付けられている第２固有情報をデータベース１０２から検索する。また、第３処理部１３０は、コンテンツ検索システム１５０により当該検索条件にしたがって検索された複数のコンテンツのそれぞれと、当該第２固有情報との関連性の強弱を表す第１固有値を評価する。さらに、第３処理部１３０は、当該第１固有値が第１基準値以上のコンテンツを第２コンテンツとして抽出する。また、第３処理部１３０は、コンテンツ検索システム１５０により当該検索条件にしたがって検索された複数のコンテンツのそれぞれと、第２処理部１２０により抽出された第１コンテンツとの近似性の高低を表す第２固有値を評価する。さらに、第３処理部１３０は、当該第２固有値が第２基準値以上のコンテンツを第２コンテンツとして抽出する。
【００３０】
第４処理部１４０は、第２処理部１２０および第３処理部２３０のそれぞれにより抽出された第１および第２コンテンツのそれぞれの属性情報のリストを、このリストに掲載されている属性情報がユーザにより選択されることにより、当該選択属性情報を有するコンテンツが端末２００に出力されるように当該端末２００に出力させる。
【００３１】
コンテンツ検索システム１５０は一部または複数のサーバにより構成されている。なお、コンテンツ検索システム１５０はコンテンツ管理システム１００の一部に組み込まれていてもよいし、複数の端末２００のそれぞれに組み込まれていてもよい。
【００３２】
前記構成のコンテンツ管理システム１００の機能について説明する。
【００３３】
ユーザにより端末２００に検索条件が入力されたとき（図２／Ｓ０２２）、コンテンツ検索システム１５０により、当該検索条件にしたがってインターネットを通じてコンテンツが検索される（図２／Ｓ０１２）。たとえば、検索条件または検索キーワードとして「●●株式会社」等のエンティティの名称が入力された場合、コンテンツ検索システム１５０によって当該検索キーワードに基づき、「「●●」という言語が包含されているあらゆるコンテンツを検索する」等の検索ルールにしたがってインターネットに存在する膨大な数のコンテンツの中から複数のコンテンツが検索される。コンテンツ検索結果はコンテンツ検索システム１５０が有する検索結果データベース（図示略）に記録する。
【００３４】
コンテンツ管理システム１００においては、端末２００への検索条件入力に応じて第１処理部１１０により「第１処理」が実行される（図２／Ｓ００２）。具体的には、ユーザにより端末２００に入力された検索条件に基づき、データベース１０２に格納されている複数のエンティティのうち一部のエンティティが「対象エンティティ」として指定される。たとえば、検索条件または検索キーワードとして「●●株式会社」等のエンティティの名称が端末２００に入力された場合、●●株式会社そのものが対象エンティティとして指定される。なお、「○○●●株式会社」「●●ストア」等、検索キーワードの特徴部分と名称が部分的に一致するエンティティが付加的に対象エンティティとして指定されてもよい。「株式会社」や「社」等の多くのエンティティに共通する可能性が高い部分が除かれた部分が特徴部分として取り扱われる。
【００３５】
また、第２処理部１２０により「第２処理」が実行される（図２／Ｓ００４）。具体的には、第１処理部１１０により指定された対象エンティティに対応付けられている「第１固有情報」がデータベース１０２から検索される。第１固有情報には、各エンティティにより提供されているコンテンツのＵＲＬや各エンティティに割り当てられているドメインが含まれている。また、コンテンツ検索システム１５０により当該検索条件にしたがって検索された複数のコンテンツの中から、当該第１固有情報に基づいて「第１コンテンツ」が抽出される。たとえば、第１固有情報としてのＵＲＬに全部または主要部分が一致しているＵＲＬを有するコンテンツが第１コンテンツとして抽出される。また、第１固有情報としてのドメインを包含するＵＲＬを有するコンテンツが第１コンテンツとして抽出される。
【００３６】
さらに、第３処理部１３０により「第３処理」が実行される（図２／Ｓ００６）。具体的には、第１処理部１１０により指定された対象エンティティに対応付けられている「第２固有情報」がデータベース１０２から検索される。第２固有情報には各エンティティの名称、住所、電話番号、電子メールアドレス、業務内容等のうち一部または全部が含まれている。
【００３７】
また、コンテンツ検索システム１５０により当該検索条件にしたがって検索された複数のコンテンツのそれぞれと、当該第２固有情報との関連性の強弱を表す「第１固有値」が評価される。たとえば、第２固有情報としての「●●株式会社」等のエンティティの名称と、コンテンツに含まれている「○○社によれば、‥」等のテキストに含まれる「○○社」というエンティティの名称とのそれぞれを構成する文字や単語の一致率が第１固有値として評価される。また、第２固有情報としての「０３−３△△△−○○××」等のエンティティの電話番号と、コンテンツに含まれている電話番号とのそれぞれを構成する数列の一致率が第１固有値として評価される。そして、当該第１固有値が第１基準値以上のコンテンツが「第２コンテンツ」として抽出される。
【００３８】
なお、第２固有情報およびコンテンツのそれぞれに含まれているエンティティの名称、電話番号および住所のそれぞれの一致率が「１．００（＝第１基準値）」である場合、当該コンテンツが第１の優先順位で第２コンテンツとして抽出されてもよい。また、第２固有情報およびコンテンツのそれぞれに含まれているエンティティの名称および電話番号のそれぞれの一致率が１．００である場合、当該コンテンツが第２の優先順位で第２コンテンツとして抽出されてもよい。さらに、第２固有情報およびコンテンツのそれぞれに含まれているエンティティの名称およびおおまかな所在地（住所は特定されない。たとえば市町村名。）のそれぞれの一致率が１．００である場合、当該コンテンツが第３の優先順位で第２コンテンツとして抽出されてもよい。また、第２固有情報およびコンテンツのそれぞれに含まれている住所および電話番号のそれぞれの一致率が１．００である場合、当該コンテンツが第４の優先順位で第２コンテンツとして抽出されてもよい。さらに、第２固有情報およびコンテンツのそれぞれに含まれているエンティティの名称およびドメインのそれぞれの一致率が１．００である場合、当該コンテンツが第５の優先順位で第２コンテンツとして抽出されてもよい。
【００３９】
また、コンテンツ検索システム１５０により当該検索条件にしたがって検索された複数のコンテンツのそれぞれと、第２処理部１２０により抽出された第１コンテンツとの近似性の高低を表す「第２固有値」が評価される。たとえば、第１コンテンツと他のコンテンツとのそれぞれの公開時期の近接度が第２固有値として評価される。また、第１コンテンツと他のコンテンツとのそれぞれの情報量の一致度が第２固有値として評価される。そして、当該第２固有値が第２基準値以上のコンテンツが第２コンテンツとして抽出される。
【００４０】
なお、第１固有値が第１基準値以上のコンテンツおよび第２固有値が第２基準値以上のコンテンツのうち一方のみが第２コンテンツとしてデータベース１０２から検索されてもよい。
【００４１】
また、第４処理部１４０により「第４処理」が実行される（図２／Ｓ００８）。これにより、第２処理部１２０および第３処理部１３０のそれぞれによる抽出結果がサーバから端末２００に送信され、当該端末２００に抽出コンテンツの属性情報のリストが端末２００に出力される（図２／Ｓ０２４）。このリストには、図３（ａ）に示されているように第１および第２コンテンツのそれぞれのタイトル、概要やＵＲＬ等の属性情報ｃ１およびｃ２が掲載される。
【００４２】
そして、端末２００に出力されたリストに掲載されている属性情報がユーザにより選択されることにより、当該選択ＵＲＬに応じたコンテンツが端末２００に出力される。
【００４３】
前記機能を発揮するコンテンツ管理システム１００によれば、ユーザによって端末２００に入力された検索条件に基づき、複数のエンティティのうち一部のエンティティが対象エンティティとして指定される（図２／Ｓ０２２，Ｓ００２参照）。このため、検索条件を端末２００に入力した当該ユーザが興味を抱いている可能性または蓋然性が高いエンティティが対象エンティティとして指定されうる。また、コンテンツ検索システム１５０は当該検索条件にしたがってネットワークを通じてコンテンツを検索するので、検索コンテンツには対象エンティティに関するコンテンツが含まれる（図２／Ｓ０１２参照）。
【００４４】
また、ネットワークにおける対象エンティティに固有の属性を表す第１固有情報に基づいて「第１コンテンツ」が抽出される（図２／Ｓ００４）。これにより、ネットワークにおける固有属性（ＵＲＬやドメイン）の存在に鑑みて対象エンティティとの関係に信頼性が置けるコンテンツ、すなわち、対象エンティティとの関連性が最も強い可能性が高いコンテンツが「第１コンテンツ」として抽出されうる。
【００４５】
さらに、対象エンティティに固有の属性を表す第２固有情報との関連性の強弱を表す第１固有値が第１基準値以上のコンテンツが「第２コンテンツ」として抽出される（図２／Ｓ００６参照）。これにより、対象エンティティに固有の属性（名称、住所、電話番号等）との関連性に鑑みて、第１コンテンツほどではないものの対象エンティティとの関連性が高い可能性が高いコンテンツが第２コンテンツとして抽出されうる。また、第１コンテンツとその他のコンテンツのそれぞれとの情報としての近似性または類似性に鑑みて、第１コンテンツほどではないものの対象エンティティとの関連性が高い可能性または蓋然性が高いコンテンツが第２エンティティとして抽出されうる。
【００４６】
このように第１コンテンツのみならず、第２コンテンツもが抽出されることにより、ユーザにとっての有用性の高低に鑑みて、ネットワークを通じて得られる複数のコンテンツから適当なコンテンツが抽出されうる。そして、第１および第２コンテンツの抽出結果として、各コンテンツに対応する属性情報が掲載されたコンテンツリストが端末２００に出力される。これにより、図３（ａ）に示されているように第１および第２コンテンツのそれぞれの属性情報ｃ１およびｃ２のみが掲載されているリストが端末２００に出力表示される。すなわち、図３（ｄ）に示されているように当該属性情報ｃ１およびｃ２とは別に、ユーザにとって有用性が低い可能性が高いコンテンツ（ノイズ）の属性情報ｃ０までもがリストに掲載される事態が回避される。したがって、ユーザは端末２００においてリストに掲載された属性情報をクリック等してコンテンツを選択することによって当該選択コンテンツを端末２００において閲覧することができる。
【００４７】
なお、ユーザによる端末２００への第１、第２および第３抽出条件のうち１つの入力が可能とされ、ユーザにより第１または第３抽出条件が端末２００に入力されたことを要件として第２処理部１２０が「第１コンテンツ」を抽出する一方、ユーザにより第２または第３抽出条件が端末２００に入力されたことを要件として第３処理部１３０が「第２コンテンツ」を抽出してもよい。
【００４８】
当該構成のコンテンツ管理システム１００によれば、端末２００に入力された抽出条件の違いに応じて、抽出対象となるコンテンツの範囲をユーザに調節させることができる。すなわち、端末２００に「第１抽出条件」が入力された場合には第１コンテンツのみが抽出された上で当該端末２００に図３（ｂ）に示されているように第１コンテンツの属性情報ｃ１のみが掲載されているリストが掲載される。また、端末２００に「第２抽出条件」が入力された場合には第２コンテンツのみが抽出された上で当該端末２００に図３（ｃ）に示されているように第２コンテンツの属性情報ｃ２のみが掲載されているリストが掲載される。さらに、端末２００に「第３抽出条件」が入力された場合には第１および第２コンテンツの両方が抽出された上で当該端末２００に図３（ａ）に示されているように第１および第２コンテンツのそれぞれの属性情報ｃ１およびｃ２が掲載されているリストが掲載される。
【００４９】
さらに、ユーザによる端末２００の操作に応じて、第２コンテンツの抽出基準となる第１基準値および第２基準値のうち一方または両方が設定されてもよい。これにより、抽出される第２コンテンツの数量や範囲をユーザに調節させることができる。
【図面の簡単な説明】
【００５０】
【図１】コンテンツ管理システムの構成説明図
【図２】コンテンツ管理システムの機能説明図
【図３】コンテンツ管理システムの機能説明図
【符号の説明】
【００５１】
１００‥コンテンツ管理システム、１０２‥データベース、１１０‥第１処理部、１２０‥第２処理部、１３０‥第３処理部、１４０‥第４処理部、１５０‥コンテンツ検索システム、２００‥端末
【図１】
2008250481.tif 000003
【図２】
2008250481.tif 000004
【図３】
2008250481.tif 000005